(57)【特許請求の範囲】
【請求項１】
円周方向に磁極を交互に有するように磁化された管状のロータ（７）と、
前記ロータ（７）の外周面に対応する内周面を有して前記ロータが貫通配置可能なチャンネル部（１６）が形成されたボディ（４）を有するステータと、
前記ボディ（４）に支持された複数のコイル（５ａ〜５ｃ）と、
前記ステータを囲んで設けられた強磁性の外側エンベロープ（２）と、を備えて構成され、
前記ボディ（４）は電気的絶縁材料から作られるとともに外周が円筒状に形成され、
前記ボディ（４）は、前記ボディの外周面に沿って円周上等間隔で形成された３つ、４つ、または６つの径方向に突出する突起部（１７〜１９）を有し、前記突起部にはそれぞれ、前記コイル（５ａ〜５ｃ）を受容するコア部（２０〜２２）と、前記外側エンベロープ（２）の内面に相補的な断面円弧状の外周面を有し、前記コア部（２０〜２２）に受容した前記コイルを覆う周辺拡張部（３０〜３２）とが設けられ、
前記コア部（２０〜２２）は、前記ボディの外周面を横切るとともに径方向に直角で且つ軸方向に延びる平面に沿って形成されていることを特徴とする電気機械。
【請求項２】
前記コア部は、前記ボディの外周面において、前記平面が延びる方向における端部が外方に開放することを特徴とする請求項１に記載の電気機械。
【請求項３】
前記ボディ（４）は、周方向に等間隔で配置された３つの前記突起部（１７〜１９）を有し、前記ロータ（７）は１対または２対の磁極を有し、前記ボディ（４）は三角形の断面を有する中央部を有することを特徴とする、請求項１もしくは２に記載の電気機械。
【請求項４】
前記ロータ（７）の半径は、前記ステータの前記チャンネル部の長手方向の軸と、巻線の内側の巻線部を通過する平面との間の距離よりも大きいことを特徴とする、請求項１〜３のいずれかに記載の電気機械。
【請求項５】
前記外側エンベロープ（２）の外側半径は、５ｍｍ未満であることを特徴とする、請求項１〜４のいずれか一項に記載の電気機械。
【請求項６】
前記外側エンベロープ（２）と前記ロータ（７）との間の空間は、強磁性体粒子を含んでいる混合物によって少なくとも部分的に充填されていることを特徴とする、請求項１〜５のいずれか一項に記載の電気機械。
【請求項７】
前記混合物は、強磁性体粒子入りのプラスチック材料であることを特徴とする、請求項６に記載の電気機械。
【請求項８】
前記ボディ（４）は、強磁性体粒子入りの混合物から少なくとも部分的に製造されていることを特徴とする、請求項１〜７のいずれか一項に記載の電気機械。
【請求項９】
前記ボディ（４）は、前記外側エンベロープ（２）を有して、強磁性体粒子入りの混合物から製造された単一の部品を形成することを特徴とする、請求項１〜８のいずれか一項に記載の電気機械。
【請求項１０】
前記外側エンベロープ（２）は、強磁性体粒子入りのプラスチック材料から製造されていることを特徴とする、請求項１〜９のいずれか一項に記載の電気機械。
【請求項１１】
前記磁化されたロータ（７）は直径方向に交互に磁化されたタイルの形状の磁石のアセンブリによって形成されていることを特徴とする、請求項１〜１０のいずれか一項に記載の電気機械。
【請求項１２】
前記磁化されたロータ（７）は、単一方向または交互方向に磁化された、焼結された単一部品の材料によって形成されていることを特徴とする、請求項１〜１０のいずれか一項に記載の電気機械。
【請求項１３】
前記ボディ（４）は、その一端に金属化された表面（７０〜７３および８１〜８３）を有しており、金属化された表面は、一方では巻線のワイヤをはんだ付けし、他方では接続要素を接続するためのものであることを特徴とする、請求項１〜１２のいずれか一項に記載の電気機械。
【請求項１４】
前記ボディ（４）は、弾性変形可能な材料から製造されていることを特徴とする、請求項１〜１３のいずれか一項に記載の電気機械。
【請求項１５】
前記突起部（１７〜１９）は、半径方向に対称的な平面に沿ってスロット付けされていることを特徴とする、請求項１〜１４のいずれか一項に記載の電気機械。
【請求項１６】
前記ロータ（７）の外側半径は、前記ステータの外側半径をＲとして、０．４Ｒと０．５Ｒの間であることを特徴とする、請求項１〜１５のいずれか一項に記載の電気機械。
【請求項１７】
前記コア部（２０〜２２）の平均の幅Ｌｎは、前記ステータの外側半径をＲとして、０．５Ｒと１．２Ｒの間であることを特徴とする、請求項１〜１６のいずれか一項に記載の電気機械。
【請求項１８】
前記コイル（５ａ、５ｂ、５ｃ）の厚さをＥとするときに、周辺拡張部（３０〜３２）の最大幅Ｌｐは、前記ステータの外側半径をＲとして、１．１Ｒと１．８Ｒの間であり、Ｅ＋Ｌｎより大きいことを特徴とする、請求項１〜１７のいずれか一項に記載の電気機械。
【請求項１９】
前記コア部（２０〜２２）の断面は一定であることを特徴とする、請求項１〜１８のいずれか一項に記載の電気機械。
【請求項２０】
前記コア部（２０〜２２）の断面は外側方向に制限されていることを特徴とする、請求項１〜１８のいずれか一項に記載の電気機械。
【請求項２１】
前記外側エンベロープ（２）は、積み重ねられた金属シート（１０）のパケットから構成されていることを特徴とする、請求項１〜２０のいずれか一項に記載の電気機械。
【請求項２２】
円周方向に磁極を交互に有するように磁化された管状のロータ（７）と、
前記ロータ（７）の外周面に対応する内周面を有して前記ボディ（４）を貫通するチャンネル部（１６）が形成されたボディ（４）を有するステータと、を備え、
前記ボディ（４）は複数のコイル（５ａ〜５ｃ）を支持し、
前記ステータは、強磁性の外側エンベロープ（２）によって囲まれており、
前記ボディ（４）は電気的絶縁材料から外周が円筒状に形成され、
前記ボディ（４）の外周面を横切る径方向に直角で軸方向に延び、周方向に等間隔で配置された３つ、４つ、または６つの平面に沿って前記ボディにそれぞれ形成され、それぞれ前記コイル（５ａ〜５ｃ）を受容する３つ、４つ、または６つのコア部（２０〜２２）を有し、
前記コア部の外周側に、前記外側エンベロープ（２）の内面に相補的な断面円弧状の外周面を有し、前記コア部（２０〜２２）に受容した前記コイルを覆う周辺拡張部（３０〜３２）を有する突起部が設けられている、電気機械の製造方法であって、
前記ボディを製造するステップと、それぞれの前記コア部の周囲に導電ワイヤを巻くステップと、前記外側エンベロープ（２）の中に、前述のように導電ワイヤが巻かれた前記ボディを挿入するステップとを有する、電気機械の製造方法。
【発明の詳細な説明】
【技術分野】
【０００１】
本発明は永久磁石機械の分野に関し、より詳細には、高速度で、および小さな直径において高い機械出力を生成するように意図されたモータおよびマイクロモータの分野に関する。
【背景技術】
【０００２】
典型的には、しかし限定するものではないが３０ｍｍ未満の直径を有する小型の磁石タイプの機械の分野においては、巻くことの有無によらず複数の歯を構成するステータに対応するスロットレス・ステータ・トポロジーを用いることが、スロット付きのトポロジーを用いることよりも一般的である。
【０００３】
スロットレスの解決策は、小さな直径に対しては特に適切であり、電流が流れていないときのトルクを非常に小さく、またはゼロにさえすることが求められているときには、とりわけ適切である。すなわちこれは、スロットを有する構造では、ステータ回路（幾何学的な公差）のためかロータ（幾何学的な公差または永久磁石の均質性）に関してか、非常に難しいことが分かっている。より詳細には、均質な磁気空隙を有するスロットレス機械は、電流が流れていないときのトルクがゼロである。
【０００４】
このために電流が流れないときのトルクがないことは、トルクによるリプル、振動、ノイズ、損失などを最小にするので、そのような機械は、（典型的には数万〜数十万回転／分である）非常に高速度での使用に対して特に好ましい。
【０００５】
他方、ステータ歯がないことは、そのような機械の出力密度を減少させて、大きな直径構造における使用、および／または、高い機械出力を低速度で生成することを意図している者、に対するそれらの有用性を減少させる。
【０００６】
巻線は、スロットレスモータにおいては、典型的に１０ミリメートル未満の直径に対するような極端な小型化の場合には、特にクリテカルな問題である。
【０００７】
例として、そのようなモータの機能が、Ｇ．Ｊ．Ｙａｎ、Ｊ．Ｈ．ＷａｎｇおよびＳ．Ｊ．Ｙａｎによる論文として、Ｊ．Ｓｃｉ．Ｉｎｎｏｖ．（Journal of Science and Innovation）の２０１２年Ｖｏｌ．２、Ｎｏ１の３９〜４８頁に記載されている。
【０００８】
それらのスロットレスモータに従来用いられている自己支持型円周巻線（Self-supporting circumferential windings）（または「ベル」巻線）が、例えば、英国特許公報第９０３２８５号および英国特許公報第１０４６９９３号に記載されている。このような解決策は、特に非常に小さい直径のモータを製造することを望むときには、高い製造コストを引き起こす。そのような巻線は、また、高速度を達成しようと努力するときにしばしばあるように、大きい直径のワイヤに小さい巻数を用いる構造に対しては適切ではない。
【０００９】
集中巻線（巻線部が連続的である巻線）の提案という解決策も知られているが、自己支持型と呼ばれる（また「空芯」（air core）とも呼ばれ、特に強磁性体のものは、換言すれば独立的にいかなる支持もなく巻かれている）、分離されたコイルに基づいており、このため、ステータ内に位置決めし、その後固定し、しばしば、オーバーモールドの使用によって、最終的にはステータから絶縁することが必要である。これは高価で複雑な実施を引き起こす。
【００１０】
これを改善するために、特開２００８−１５４３４０号は、それぞれが半径方向の内側に延びている１以上の突起部によって位置決めされた自己支持型コイルを支持する円筒形の横断面の形状の非磁性体シェルの使用を提案しており、そのコイルはそこで樹脂によって支持されており、それらのシェルは最終的には一緒に接続されている。この実施プロセスは複雑であり、マイクロモータ内で複数の部品を一緒に接続することは、設計および部品の位置決めにおいて非常に厳しい公差を必要とする。
【００１１】
特開２００４−２５４４４３号に記載されている別な解決策は、コイルが自動化工程で巻かれた上に、平坦に置かれた連結式支持物の使用を記述しており、前記支持物は、そのときコイル状でモータハウジングに挿入されている。そのような解決策は、コイルを支持する各ゾーン間の連結部での材料の極端な薄さがアセンブリを極めて脆弱にするので、超小型モータには適していない。
【００１２】
上述した幾つかの欠点を改善するためには、コイルが巻かれている上に単一の部品を使用することが好ましい解決策である。特開２０１０−２４２４０７号は、それらの変形例を示しており、３つのコイルが、円筒の外側から巻かれている所で、半径方向の外側方向に延びて巻線の保持として機能している。しかしながら、そのような解決策は、巻線とその巻線を閉じる磁束閉鎖部との間の絶縁の追加を必要とする。加えて、非常に小さい直径（典型的には１０ｍｍ以下）においては、それらの突起部の厚さが大問題となる。
【００１３】
溝のないステータを有する直流ブラシレスモータを記載した先行技術である米国特許出願公開第２０１２／０２７４１６７号も知られている。これは詳しくは、絶縁材料から往復ロータを形成することにより、ロータ内の回転によって妨害される力の存在を避けるために設計された溝の無いステータを有し、その一方で直流モータを高速で提供することを同時に許容する直流ブラシレスモータである。先行技術のこの文献による実施形態は、複数の巻線突出部を形成することによる回転軸の長さ方向におけるコイルの大量の巻線に関しており、往復ロータ上のコイルを巻くことを可能にする。その結果、巻線突出部は、往復ロータ本体の外部周辺表面の外周に沿って所定の間隔で空間を有して突出する。
【００１４】
再度述べるが、小さい直径においては、そのような解決策の使用は問題がある。
【００１５】
＜先行技術の欠点＞
先行技術の解決策は、最適性能（速度、出力）を達成することを可能にしてはいない。加えて、ステータの構造は、高出力に適した直径を有するワイヤを有する巻線を支持することを困難にする。特に、毎分数十万回転の、高速度向けのモータに対しては、コイル当たりおよびモータの相当たりの巻数を減少させることが必要であり、従って、巻線ワイヤの断面が増加することが必要である。一般的に、先行技術において提案された解決策は、典型的に１０ｍｍ未満の直径を有するマイクロマシンの場合には不適切である。
【００１６】
それ故に、米国特許出願公開第２０１２／０２７４１６７号によって提案された解決策は、大きな外側直径に繋がる多数のコイルを備えている。加えて、この解決策は、追加の絶縁部および外側エンベロープの溝切りの使用を引き起こす。
【発明の概要】
【発明が解決しようとする課題】
【００１７】
ここで示される解決策は、従って、上述の問題の全てまたはいくつかを改善することを提示する。より詳細には、小さい直径のマシンに対する高レベルの自動化がより容易で特に適しており、小さな直径における使用に適した形状を有する単一のコイルボディで行われる集中巻線に依存した巻線解決策を用いる。
【課題を解決するための手段】
【００１８】
この目的のために、本発明は、その受理されるものに従った機械に関する。機械は、円周方向に磁極を交互に有するように磁化された管状のロータと、前記ロータの外側断面に実質的に対応する内側断面を有するチャンネル部が貫通するボディを有するステータと、を備えており、前記ボディは複数のコイルを支持しており、前記ステータは強磁性の外側エンベロープによって囲まれており、前記ボディは、断面において、コイルを受容するための長手方向のコア部を有する、電気的絶縁材料から作られた３つ、４つ、または６つの半径方向の突起部が延伸しており、前記コア部は、前記外側エンベロープの内面に相補的な外面を有して巻線領域を覆っている周辺拡張部が延伸していることを特徴とする。
【００１９】
この解決策の利点は、巻線を受容するためにハウジングを有する支持物（ボディ）上にコイルを可能にすることであり、従って、堅固な構造を提供しながら巻線の正確な位置決めおよび容易なアセンブリをもたらし、巻線とそのエンベロープとの間に磁束閉鎖部品としての機能を果たす絶縁物を挿入することを必要としない。
【００２０】
好ましくは、本発明による機械は、３つの突起部を有するボディと、１対または２対の磁極を有するロータとを備え、ボディは三角形の断面を有する中央部を有する。
【００２１】
好ましくは、ロータの半径は、ステータの前記チャンネル部の長手方向の軸と、巻線の内側の巻線部を通過する平面との間の距離よりも大きい。
【００２２】
好ましくは、そのエンベロープの外側半径は５ｍｍ未満である。
【００２３】
第１の実施形態によれば、前記磁化されたロータは、直径方向に交互に磁化されたタイルの形状の磁石のアセンブリによって形成されている。
【００２４】
第２の実施形態によれば、前記磁化されたロータは、単一の方向または交互方向に磁化された、焼結され一体化した（monolithic）材料によって形成されている。
【００２５】
好ましくは、前記ボディは、その一端に金属化された表面を有しており、金属化された表面は、一方では巻線のワイヤをはんだ付けし、他方では接続要素を接続するためのものである。
【００２６】
好ましい実施形態によれば、前記ステータは弾性変形可能な材料から製造されている。
【００２７】
変形例によれば、前記突起部は、半径方向に対称的な平面に沿ってスロット付けされている。
【００２８】
この巻線は、典型的には、コイル支持部が磁束閉鎖部品に挿入される前に、自動巻線機によって製造される。この延長線上で考えると、本発明は、従ってまた、第１にボディを製造し、巻線を実行し、その後、エンベロープの内側にこのサブアセンブリを挿入して必要な接続作業を行い、最終的に可動部分を挿入するアセンブリ方法に関する。
【００２９】
より詳細には、ボディは、コイルが磁束閉鎖部品と接触しないように本質的にコイルを保護しながら、軸方向および横方向に延びてワイヤをガイドおよび保持することを可能にする溝部を備えている。ボディが、絶縁材料から作られた半径方向の突起部を有し、突起部がコイルを受容するためのコア部を有するという事実によって、これを可能にする。
【００３０】
長方形の断面を有するコイルを導くことが最も一般的な実施であるように言われている「ストレート」（straight）巻きにおいて、小さな直径および／または小さい数のコイル（例えば３つ）を有する回転機械の場合においては、ロータを「またぐ」（straddle）コイルという事実を引き起こす。特に、ロータが一度支持物に挿入されてから巻回が行われるという意味であり、例えば、ボディが、典型的には巻回前に単一の支持物の中に軸方向に一緒に接続された２つの同一のシェルである、少なくとも２つの部分から製造されるという意味である。これは、しかしながら、最も好ましい解決策ではない。
【００３１】
これが、好ましい変形例によれば、溝部の横断部分が円形状のプロファイルを描くように作られる溝部が、円柱形状を有するコイルを製造することを可能にし、ロータに干渉しないボディを有することを可能にする理由である。
【００３２】
別の変形例によれば、ボディは、ある程度の弾性を有するように製造されてもよく、これによってボディがエンベロープに挿入されたときにある程度の許容誤差を受容することができて好ましい。
【００３３】
使用されるワイヤのサイズおよび小さな直径のために、接続は特に慎重に扱うべき問題であるので、コイルのワイヤが直接的にはんだ付けされる接続要素をボディが含んでいることを想像することができる。
【００３４】
ボディおよび巻線を製造するための別の方法は、接続を一体化することを可能にすることであり、（典型的にはプラスチック材料および銅である）複数の３次元材料を結合している、ＭＩＤ（モールドされた内部接続デバイス（moulded interconnected device））タイプの解決策を用いることである。
【００３５】
本発明は、特に小さな寸法のデザインを意図しているので、個別の実施形態によれば、ロータの外側半径は、ステータの外側半径をＲとすると、０．４Ｒと０．５Ｒの間である。
【００３６】
変形例によれば、コア部の平均幅Ｌｎは、０．５Ｒと１．２Ｒの間である。
【００３７】
個別の実施形態によれば、周辺拡張部の最大幅Ｌｐは、１．１Ｒと１．８Ｒの間であり、コイルの厚さをＥとすると、いかなる場合でもＥ＋Ｌｎよりも大きい。
【００３８】
変形例では、コア部の断面は一定である。
【００３９】
第２の変形例では、コア部の断面は、外側方向に制限されている。
【００４０】
ステータのエンベロープは、積み重ねられたシートのパケット、または、巻かれたもしくは機械加工された固体物質、のいずれかで構成されている。
【００４１】
上述したステータ構造の単純化に加えて、本発明はまた、スロット付の機械に比べたスロットレス機械の欠点の１つである、同じ大きさに対してより低いトルク率、を改善することを提示する。この欠点は、スロットレス構造におけるより大きな磁気エアギャップという事実のために、トルク定数を大きく減少させるというものである。
【００４２】
一般論としては、提案される解決策は、巻線が配置されている空間に配置される、強磁性体粒子を充填した材料を用いることから構成される。ここで巻線が配置されている空間とは、換言すれば、ロータの非接触回転のために必要な機械的クリアランスを引いた、ロータとエンベロープとの間の機械的なエアギャップである。
【００４３】
好ましい変形例によれば、前記ボディは、部分的にまたは全体的にそのような材料から製造されている。
【００４４】
別の変形例によれば、そのような材料は、ロータの非接触回転のために必要な機械的クリアランスを引いた、ボディと巻線によってできた隙間を満たすために注入される。
【００４５】
さらに別の変形例によれば、外側エンベロープは、強磁性体粒子入りのプラスチック材料から製造される。
【００４６】
別の変形例によれば、前記外側エンベロープは、また、強磁性体粒子入りのプラスチック材料から製造される。
【００４７】
従来のスロットレス機械に比較したトルク定数の増加に関して述べれば、これは、ロータとエンベロープとの間のエアギャップを、ロータの非接触回転のために必要な空間を残して、非磁性バインダーと強磁性体粉末から構成される混合物で可能な限り均一に最大限可能な上限まで充填する場合である。そのようなアセンブリは電気的に絶縁されており、非常に小さい磁気的損失を導くので、全ての場合において、そのような混合物の使用が特に好ましい。
【００４８】
より詳細には、ここで提案される解決策は、好ましい実施形態によれば、コイルを支持する単一のボディを用いるアイデアの続きである。賢いデザインによれば、以下に示すように、この方法においては、電流が流れないときのトルクを生成することなく、使用可能な磁束密度、従ってトルク定数を増加させる、エアギャップにおいてこの材料のほぼ均一な分散を有する、構造が得られる。
【００４９】
従って、第１の変形例によれば、ボディは直接的にそのような混合物によって（例えばプラスチックバインダーと強磁性体粒子との混合物を注入することによって、または、他の適切な方法によって）製造される。前記ボディは、ロータとエンベロープとの間の機械的なエアギャップを、可動部の非接触運動のために必要なクリアランスのみを残して可能な限り完全にかつ均一に充填するように、巧妙に製造される。
【００５０】
別の変形例によれば、ボディは、ある場所では、そのような混合物を用いて製造され、別の場所では、例えば１以上の（強度のための）より優れた機械的特性を有する材料または接続を容易にするために導電性を有する材料で製造されることが想像できる。
【００５１】
別の代替手段によれば、ボディは、樹脂と強磁性体粒子の混合物を有するエアギャップを完成するために最大限の空間を提供しながら、その的確な強度のために必要な材料のみを有するために、非磁性材料をくりぬく方法によって製造される。
【００５２】
混合物の磁気特性に関しては、非常に控えめな特性でも性能におけるゲインがよく認められるという、出願人によって示された発見を注記しなければならない。従って、約２０の平均比透磁率および低いヒステリシス（保磁力が約５０Ａ／ｍ）を有する混合物を用いて行われた試験では、直径２５ｍｍで３つのコイルと２つの回転磁極対を有する３相回転モータで、トルク定数で２０％のゲインが示された。これは、そのような制約された磁気特性では鉄損が極めて低いままであるので、特に好ましい。
【００５３】
従って、（従来の磁気材料が千を超しているなかで、典型的に数百の比透磁率を有する）Ｓｏｍａｌｏｙ（登録商標）タイプの材料のような比較的高い透磁率を有する混合物の使用が絶対的に必要ではないために、比透磁率が１００未満で適切なゲインを得ることが可能であり、これは、経済面、およびより制約のないプロセスになるという観点の両方で、強力な利点を示す。
【００５４】
本発明は、また、前記ボディを製造するステップ、各コア部の周囲に導電ワイヤを巻くステップ、および、前述のように巻かれた前記ボディを前記エンベロープに挿入するステップを有する方法にも関する。
【００５５】
本発明は、例示的な実施形態に関する以下の図面を考慮することでよりよく理解される。
【図面の簡単な説明】
【００５６】
【図１ａ】本発明によるモータの第１の実施形態における斜視図である。
【図１ｂ】図１ａに示すモータの断面図である。
【図１ｃ】図１ａに示すモータの回転軸を通る軸方向断面図である。
【図１ｄ】第１の実施形態におけるコイル支持体の分離図である。
【図２ａ】本発明によるモータの第２の実施形態における斜視図である。
【図２ｂ】図２ａのモータの分解図である。
【図２ｃ】図２ａのモータの断面図である。
【図３】本発明によるコイル支持体の個別の実施形態を説明する図である。
【図４】本発明による巻線支持体（woundsupport）上のコイル接続の個別の実施形態を説明する図である。
【図５ａ】本発明による巻線支持体の別の実施形態を説明する図である。
【図５ｂ】図５ａの巻線支持体の断面図である。
【図６】別の実施形態による巻線支持体の断面図である。
【発明を実施するための形態】
【００５７】
＜第１の例示的実施形態＞
図１ａは、第１の実施形態による三相スロットレス電気モータ１を示す。それ（電気モータ）は管状の形状をしており、ここでは例示的に軸方向に、換言すれば回転軸３に沿って積み重ねられた金属シート１０のパケットの形状をしている、ステータの外側エンベロープ２を備えている。可動アセンブリは、回転軸３および円筒状の磁化ロータ７から構成されており、磁化ロータは、ここでは磁化された磁極の２対を（Ｎ極およびＳ極を交互に２つ）有している。述べた例において、磁化された磁極は、円周方向にＮ−Ｓを交互に有するために横切って磁化された、長手方向の磁石１１〜１４によって形成されている。磁石の外側表面は、円筒の一部の形状であり、その結果、磁石のアセンブリは、モータの全高さに渡って一定である円形の断面を有する、管状の外側表面を有する。
【００５８】
中央部１５は、磁気ヨークを形成して、中央部を通過するまたは中央部から延びる軸３へのトルクの伝達を提供する強磁性部品から構成されている。
【００５９】
外側エンベロープ２から離れているステータアセンブリは、また、詳細が図１ｄに示されるボディ４を備える。このボディ４は、３相励磁アセンブリを形成するために１２０°の角度によってそれぞれが分離されている、３つの分離された電気コイル５ａ、５ｂおよび５ｃが自身の上に巻かれるコア部２０〜２２を形成する３つの突起部１７〜１９のみならず、中央の長手方向のチャンネル部１６を有している。
【００６０】
図１ｂにおいて推奨できるように、コイルのボディ４は、外側エンベロープ２の内側周辺部に渡って分布しており、コイル５ａ、５ｂおよび５ｃが自身の中に巻かれている、溝部またはスロット部を形成している。
【００６１】
コア部２０〜２２は、外側エンベロープ２の内側表面に相補的な外側表面を有する周辺拡張部３０〜３２が半径方向に延伸している。これらの周辺拡張部３０〜３２は、巻線５ａ〜５ｃの巻線部の電気的絶縁を提供するために、コア部２０〜２２を囲むコイル化領域を覆っている。
【００６２】
この第１の実施形態においては、コイル５ａ、５ｂおよび５ｃは、それらが磁化されている可動部７を部分的に囲むように取り付けられており、従って、コンパクトなアセンブリを提供する。          
【００６３】
この実施形態において、チャンネル部１６は、モータの長手方向の中心軸３と、コイル５ａ、５ｂおよび５ｃの内側の巻線部（internal turn）を通過する平面４０との間で半径方向に測定された距離よりも大きな半径を有している。この解決策は、利用可能なスペースにおいて銅の有効体積を最大化する。
【００６４】
この解決策は、巻線に先立って、ステータのチャンネル部１６内にロータ７を配置することを伴う。
【００６５】
外側半径Ｒを有するステータに対して、ロータの外側半径は、０．４Ｒと０．５Ｒの間である。
【００６６】
コア部の平均の幅Ｌｎは、０．５Ｒと１．２Ｒの間である。このコア部２０〜２２の断面は、一定であってもよく、または、図２ａ〜２ｃに例示して示すように、外側の方向において制約されてもよい。コア部は、また、外側に向かって広げられてもよいが、この解決策は好ましくはない。
【００６７】
周辺拡張部３０〜３２の最大幅Ｌｐは、１．１Ｒと１．８Ｒの間であり、いかなる場合でも、各コイル５ａ、５ｂおよび５ｃの厚さＥとコア部の平均の幅Ｌｎの和（Ｅ＋Ｌｎ）より大きい。
【００６８】
図１に詳述したコイルボディ４は、単一の部品で形成されており、その（ボディの）中央領域に、回転軸３および（図示しない）いかなるガイド要素の通過をも許容する円形の貫通孔（piercing）８を有している。ボディ４の周辺上には、３つの拡張部１７〜１９が備えられており、３つのコイル５ａ、５ｂおよび５ｃの巻線に対する位置を区切っている。それぞれの拡張部１７〜１９は、半径方向の中央平面に対して対称的である。
【００６９】
各位置は、コア部２０〜２２の全周に渡って閉路を示し、従って、モータ１の回転軸３に対して軸方向および横方向に延びている、溝部またはスロット部６によって特徴付けられている。コイルボディ４の単一性および溝部６の存在は、従ってコイル化されるアセンブリの実施を容易、正確、かつ確実にする。
【００７０】
＜第２の例示的実施形態＞
図２ａ、２ｂおよび２ｃは、第２の例示的実施形態を示す。
【００７１】
外側エンベロープ２は固体強磁性材料から製造されている。ステータボディは、強磁性体粒子が投入されているプラスチック材料から成形された部品で製造されている。
【００７２】
ロータは、管状形状の単一部品の磁石をアセンブリすることによって一対の磁極に形成された円筒状の磁石を備えており、これ（円筒状の磁石）は、Ｎ極１１を管状の半分の外周上に、およびＳ極１２を相補的な管状の半分の外周上に有するために、実質的に直径方向に磁化している。
【００７３】
拡張部１７〜１９は、コア部２０〜２２が、内側上に長辺を有し、外側上に長辺を有した台形形状の断面を有しており、利用可能なスペースに対して銅の充填を最大化することができるという事実によって、第１の実施形態に関する記載とは異なっている。コイル底部の巻線部を通る平面４０はロータを貫通するが、軸拡張部１００は、巻線が平面４０と交差しないようにすることができる。従って、チャンネル部１６が一定の断面を有するので、巻線ステータの軸運動によってロータを導くことが可能である。
【００７４】
周辺拡張部３０〜３２は、巻線５ａ、５ｂおよび５ｃを完全に覆う。
【００７５】
＜第３の変形実施形態＞
図３は、ボディの拡張部１７〜１９が長手方向のスリット４１、５１、および６１によって分割されたボディを示す。記載された実施形態においては、突出部１７〜１９が、対応する拡張部を通過する半径方向の平面に対して対称的なフランジ４２、４３；５２、５３；６２、６３によって形成されている。拡張部１７〜１９は、従って弾性的に変形可能である。
【００７６】
＜第４の変形実施形態＞
図４は、ステータボディの幾つかの領域が巻線のワイヤをはんだ付けすることができる領域７０〜７３を形成するために金属化されており、および、ステータボディの幾つかの領域が電気的接続を提供する第２の金属化された領域８１〜８３で終端するために金属化されたトラックが延伸する、変形実施形態を示す。
【００７７】
＜第５の変形実施形態＞
図５ａおよび５ｂは、ステータボディが、例えば強磁性体粒子が入っているプラスチック材料から作られた部品である強磁性の内側部９０と、プラスチック材料から作られた外側部９１と、を備える変形例を示す。
【００７８】
一般論としては種々の変形例に対して、強磁性材料は、好ましくは、磁力線の満足できる閉鎖とトルク損失および鉄損の拡大の制限とを両立させるために、比透磁率が１００以下で低い飽和保磁力（保磁力が１００Ａ／ｍ未満）を有する。
【００７９】
＜第６の変形実施形態＞
図６は、ステータボディが、強磁性体粒子入りの同一のプラスチック材料でアセンブリまたはオーバーモールドされた、管状エンベロープ２を有する単一の部品を形成する、代替例を示す。
【図１ａ】
0006506268.tif 000002
【図１ｂ】
0006506268.tif 000003
【図１ｃ】
0006506268.tif 000004
【図１ｄ】
0006506268.tif 000005
【図２ａ】
0006506268.tif 000006
【図２ｂ】
0006506268.tif 000007
【図２ｃ】
0006506268.tif 000008
【図３】
0006506268.tif 000009
【図４】
0006506268.tif 000010
【図５ａ】
0006506268.tif 000011
【図５ｂ】
0006506268.tif 000012
【図６】
0006506268.tif 000013